(57)【要約】【課題】  所定の順序で配列されたデータを一覧表示する際の閲覧者の利便性を向上させる技術を提供する。【解決手段】  表示制御装置は、複数のデータをその生成順に整列して表示手段の所定の表示領域に一覧表示させる表示制御手段と、新たなデータが追加されたことに応じて、当該新たなデータの生成時刻を取得する取得手段と、前記新たなデータの生成時刻が、前記表示領域に一覧表示しているデータの生成時刻の範囲外である場合には、前記新たなデータが存在する方向を示して、前記表示領域の範囲外に未表示のデータがあることをユーザに提示する提示手段とを備える。【選択図】  図７
2015125508.tif 000002
【特許請求の範囲】
【請求項１】
複数のデータをその生成順に整列して表示手段の所定の表示領域に一覧表示させる表示制御手段と、
新たなデータが追加されたことに応じて、当該新たなデータの生成時刻を取得する取得手段と、
前記新たなデータの生成時刻が、前記表示領域に一覧表示しているデータの生成時刻の範囲外である場合には、前記新たなデータが存在する方向を示して、前記表示領域の範囲外に未表示のデータがあることをユーザに提示する提示手段と
を備えることを特徴とする表示制御装置。
【請求項２】
前記表示制御手段は、ユーザからのスクロールの指示に応じて、一覧表示するデータを切り替えることを特徴とする請求項１に記載の表示制御装置。
【請求項３】
前記表示制御手段は、ユーザからのスクロールの指示に応じて、前記未表示のデータが前記表示領域において中央に位置するように、一覧表示するデータを切り替えることを特徴とする請求項１に記載の表示制御装置。
【請求項４】
前記表示領域に一覧表示しているデータの生成時刻の範囲よりも以前に生成された未表示のデータと、該生成時刻の範囲よりも以後に生成された未表示のデータとを比較し、未表示のデータが存在するより重要度の高い方向を判定する判定手段を更に備え、
前記提示手段は、前記より重要度の高い方向をユーザに提示する
ことを特徴とする請求項１から３のいずれか１項に記載の表示制御装置。
【請求項５】
前記判定手段は、前記生成時刻の範囲よりも以前に生成された未表示のデータの個数と、該生成時刻の範囲よりも以後に生成された未表示のデータの個数とを比較して、前記重要度の高い方向を判定することを特徴とする請求項４に記載の表示制御装置。
【請求項６】
前記判定手段は、前記生成時刻の範囲からの時間的な距離が一定の範囲に存在する未表示のデータについて、その個数を比較することを特徴とする請求項５に記載の表示制御装置。
【請求項７】
前記判定手段は、前記生成時刻の範囲よりも以前に生成された未表示のデータに与えられたコメントの個数と、該生成時刻の範囲よりも以後に生成された未表示のデータに与えられたコメントの個数とを比較して、前記重要度の高い方向を判定することを特徴とする請求項４に記載の表示制御装置。
【請求項８】
前記判定手段は、前記生成時刻の範囲からの時間的な距離が一定の範囲に存在する未表示のデータのうち、与えられたコメントの個数が最も多い未表示のデータが存在する方向を前記重要度の高い方向として判定することを特徴とする請求項７に記載の表示制御装置。
【請求項９】
前記取得手段は、データの作成時刻と、データの送信時刻と、表示対象のデータを管理する行列にデータが加えられた時刻と、データが更新された時刻と、のいずれかに基づいて、前記生成時刻を取得することを特徴とする請求項１から８のいずれか１項に記載の表示制御装置。
【請求項１０】
表示対象である複数のデータ夫々に関連付けられた時刻情報に基づく所定の順に配列された、該複数のデータの少なくとも一部を表示手段の表示領域に表示させる第１の表示制御手段と、
受信したデータを前記複数のデータの配列に前記所定の順に従って追加した際に前記表示領域に当該受信したデータが表示されない場合、新たに表示対象のデータが追加されたこと及び前記受信したデータを表示するためのスクロール方向を示す情報を前記表示手段に表示させる第２の表示制御手段と
を備えることを特徴とする表示制御装置。
【請求項１１】
表示対象である複数のデータ夫々に関連付けられた時刻情報に基づく所定の順に、該複数のデータを配列する配列手段を更に備えることを特徴とする請求項１０に記載の表示制御装置。
【請求項１２】
複数のデータを表示手段に表示する表示制御装置であって、
前記複数のデータを所定の順序で整列して、仮想的な行列を生成する生成手段と、
前記行列において連続する所定の個数のノードに対応するデータを表示手段に一覧表示させる表示制御手段と
を備え、
前記表示制御手段は、未表示のデータが存在する場合に、そのデータが存在する方向を示してユーザに通知する
ることを特徴とする表示制御装置。
【請求項１３】
複数のデータを表示手段に一覧表示させる表示制御装置であって、
所定の順序で整列された前記複数のデータの仮想的な一覧表示を作成する作成手段と、
前記仮想的な一覧表示の一部を表示手段に表示させる表示制御手段と
を備え、
前記表示制御手段は、未表示のデータが存在する場合に、そのデータが存在する方向を示してユーザに通知する
ることを特徴とする表示制御装置。
【請求項１４】
表示制御装置の各手段による表示制御方法であって、
表示制御手段が、複数のデータをその生成順に整列して表示手段の所定の表示領域に一覧表示させる表示制御工程と、
取得手段が、新たなデータが追加されたことに応じて、当該新たなデータの生成時刻を取得する取得工程と、
提示手段が、前記新たなデータの生成時刻が、前記表示領域に一覧表示しているデータの生成時刻の範囲外である場合には、前記新たなデータが存在する方向を示して、前記表示領域の範囲外に未表示のデータがあることをユーザに提示する提示工程と
を有することを特徴とする表示制御方法。
【請求項１５】
コンピュータを請求項１から１３のいずれか１項に記載の表示制御装置が備える各手段として機能させるためのコンピュータプログラム。
【発明の詳細な説明】
【技術分野】
【０００１】
本発明は表示制御装置、表示制御方法、及び、プログラムに関し、特に、複数のデータを表示する表示制御技術に関する。
【背景技術】
【０００２】
近年、インターネットやクラウドサービスの普及により、これらのコンピュータネットワークを使用したネットワークコミュニケーションが盛んになっている。このようなネットワークミュニケーションの例としてＴｗｉｔｔｅｒ（登録商標）などのソーシャル・ネットワーキング・サービス（ＳＮＳ：Ｓｏｃｉａｌ  Ｎｅｔｗｏｒｋｉｎｇ  Ｓｅｒｖｉｃｅ）を挙げることができる。一般的に、これらのネットワークコミュニケーションにおいて各ユーザから投稿されたデータ（メッセージ、画像等）は、時系列にタイムライン表示される（特許文献１、特許文献２）。
【先行技術文献】
【特許文献】
【０００３】
【特許文献１】特開２０１３−８３３２号公報
【特許文献２】特開２０１２−５３６１８号公報
【発明の概要】
【発明が解決しようとする課題】
【０００４】
一般的に、これらのネットワークコミュニケーションを行うためのアプリケーションにおいては、サーバに届いた順に投稿データが整列されて表示される。そのため、現在表示されている投稿データより時系列における過去の方向には、基本的に、既に見た、もしくは読み飛ばした投稿データのみが存在する。即ち、投稿データがサーバに届いた順に整列されるため、場合は、新たな投稿データは現在表示されているデータより過去方向に追加されることはない。
【０００５】
しかしながら、投稿データがサーバに届いた順ではなく、例えば、データの作成時刻等の順に時系列に整列させて投稿データをタイムライン表示する場合は、現在表示されているデータより過去方向に新たなデータが追加される場合がある。例えば、複数のユーザによってアップロードされた撮影画像を撮影時刻順に整列してタイムライン表示を行う場合を考える。この場合、あるユーザが撮影画像をアップロードするタイミングによっては、既に他のユーザによってアップロードされ整列されている撮影画像より、時系列的に過去の方向に投稿が追加される場合がある。タイムライン表示を閲覧しているユーザは現在表示している撮影画像より時系列的に過去の方向に撮影画像が追加された場合には、追加された撮影画像に気が付かずに見落としてしまうという恐れがあった。
【０００６】
本発明は、所定の順序で配列されたデータを一覧表示する際の閲覧者の利便性を向上させる技術を提供することを目的とする。
【課題を解決するための手段】
【０００７】
上記目的を達成するため、本発明による表示制御装置は以下の構成を備える。即ち、
複数のデータをその生成順に整列して表示手段の所定の表示領域に一覧表示させる表示制御手段と、
新たなデータが追加されたことに応じて、当該新たなデータの生成時刻を取得する取得手段と、
前記新たなデータの生成時刻が、前記表示領域に一覧表示しているデータの生成時刻の範囲外である場合には、前記新たなデータが存在する方向を示して、前記表示領域の範囲外に未表示のデータがあることをユーザに提示する提示手段と
を備える。
【発明の効果】
【０００８】
本発明によれば、所定の順序で配列されたデータを一覧表示する際の閲覧者の利便性を向上させる技術を提供することができる。
【図面の簡単な説明】
【０００９】
【図１】投稿データ表示システムのシステム構成図。
【図２】情報処理装置のハードウェア構成の一例を示したブロック図。
【図３】表示制御装置の機能構成の一例を示したブロック図。
【図４】投稿データ情報一覧のデータ構造の一例を示す概念図。
【図５】投稿データ情報のデータ構造の一例を示す概念図。
【図６】表示制御装置の表示画面の一例を示す概念図。
【図７】投稿追加通知を受信した際の処理の一例を示すフローチャート。
【図８】本発明の実施形態に係る追加通知処理の一例を示すフローチャート。
【図９】本発明の実施形態に係る表示更新処理の一例を示すフローチャート。
【図１０】表示画面と投稿データの位置関係を表す概念図。
【図１１】表示範囲移動後の画面表示を表す概念図。
【図１２】本発明の実施形態に係る表示範囲移動処理の一例を示すフローチャート。
【図１３】表示画面と投稿データの位置関係を表す概念図。
【図１４】本発明の実施形態に係る追加通知処理の一例を示すフローチャート。
【図１５】本発明の実施形態に係る比較処理の第１の例を示すフローチャート。
【図１６】本発明の実施形態に係る比較処理の第２の例を示すフローチャート。
【図１７】本発明の実施形態に係る比較処理の第３の例を示すフローチャート。
【図１８】本発明の実施形態に係る比較処理の第４の例を示すフローチャート。
【発明を実施するための形態】
【００１０】
以下、添付図面を参照して本発明の実施の形態を詳細に説明する。
【００１１】
＜＜実施形態１＞＞
本実施形態では、複数のユーザによってアップロードされた画像を時系列に整列させた状態で表示させる投稿データ表示システムについて説明する。以下の説明では、アップロードされたデータを投稿データと呼ぶ。また、投稿データは画像として説明を行うが、投稿データは例えばメッセージなどの文字データであってよい。
【００１２】
（投稿データ表示システム）
図１は、本実施形態に係る投稿データ表示システムのシステム構成図である。投稿データ表示システムは、表示制御装置１００、サーバ１８０１、データ投稿装置１８０３〜１８０５を有する。サーバ１８０１は、各データ投稿装置から投稿された投稿データを表示制御装置１００に表示させるための処理を行う情報処理装置である。ネットワーク１８０２は、インターネットなどの各装置を通信させるためのコンピュータネットワークである。データ投稿装置１８０３〜１８０５は、グループ化された投稿データをネットワーク１８０２を介してサーバ１８０１に投稿する装置である。表示制御装置１００は、データ投稿装置１８０３〜１８０５により投稿されたデータを表示する。なお、データ投稿装置１８０３〜１８０５および表示制御装置１００の各ユーザはグループ化されており、サーバ１８０１はグループ化されたユーザ間で投稿データを相互に閲覧可能にする。
【００１３】
（ハードウェア構成）
本実施形態に係る表示制御装置１００、サーバ１８０１、データ投稿装置１８０３〜１８０５は、いずれもタブレット端末、スマートフォン、パーソナルコンピュータ（ＰＣ）、ＷＳ等の情報処理装置により実現することができる。図２は、このような情報処理装置のハードウェア構成の一例を示したブロック図である。
【００１４】
１０２は中央演算処理装置（以下、ＣＰＵ（Central Processing Unit））である。ＣＰＵ１０２は、後述する各種処理のための演算および論理判断を行い、データや命令をやり取りする構成要素であり、システムバス１０１に接続された各構成要素を制御する。本情報処理装置には、プログラムメモリとデータメモリを含むメモリが搭載されている。プログラムメモリには、後述する各フローチャートにより実行される処理手順を実行するためのＣＰＵ１０２による制御のためのコンピュータプログラムが格納される。プログラムメモリはＲＯＭ（Read Only Memory）１０３であってもよいし、記憶装置１０５等からプログラムがロードされるＲＡＭ（Random Access Memory）１０４であってもよい。１０５は記憶装置であり、本実施形態におけるデータやプログラムを記憶しておくためのフラッシュメモリやハードディスク等により実現される。記憶装置１０５には、さらに投稿データに関する情報が記憶されている。１０６は入力部であり、ユーザが情報の入力あるいは操作を行うためのタッチセンサやポインティングデバイス、キーボード等により実現される。１０７は出力部であり、情報処理装置における処理結果をユーザに出力する。出力部１０７はグラフィックコントローラ等の出力のための回路を含むディスプレイにより実現されるが、スピーカー等が併用されてもよい。
【００１５】
なお、本実施形態に係る表示制御装置１００においては、入力部１０６と出力部１０７が組み合わされたタッチパネルを使用することにより、投稿データが表示され、また各種の操作が行われる。１０８はネットワークＩ／Ｆであり、ネットワーク１８０２と接続するための処理を行う。ネットワークＩ／Ｆ１０８は、外部ネットワークと接続するためのモデム等により実現される。あるいは、ネットワークＩ／Ｆ１０８は、無線ＬＡＮ（Local Area Network）、公衆無線電話回線、或いは、Ｂｌｕｅｔｏｏｔｈ（登録商標）において通信するためのチップやアンテナであってよい。
【００１６】
（表示制御装置の機能構成）
図３は、本実施形態に係る表示制御装置１００の機能構成の一例を示したブロック図である。図３において、２００は表示制御装置全体である。２０１は受信部であり、投稿データの追加通知をサーバ１８０１から受信する。２０２は取得部であり、投稿データの作成時刻を取得する。取得部２０２は、投稿データが画像データである場合は画像データのＥｘｉｆ情報から当該画像データの作成時刻を取得してもよいし、或いは、投稿データファイルの作成日時や更新日時を参照して使用してもよい。また、投稿データとは別にデータベースやファイルにより管理されている情報を取得してもよい。２０３は第１の提示部であり、全投稿データを撮影時刻に応じて時系列に整列した一覧に追加投稿データを追加した際に、表示領域の範囲外に配置される場合に、表示領域の範囲外に投稿データが追加されたことを利用者に提示する。２０４は比較部であり、時系列的に表示領域の範囲の過去方向と未来方向の表示領域の範囲外に配置された投稿データを比較して、どちらの方向の未表示の投稿データの方が重要度が高いか判定する。比較の詳細については実施形態２で説明する。２０５は第２の提示部であり、比較部２０４により投稿データを比較した結果、表示領域の範囲外のより重要度の高い時系列的な方向を利用者に提示する。２０６は作成部であり、図４に示す投稿データ情報一覧および図５に示す投稿データ情報をサーバ１８０１からの情報を基に作成する。表示制御部２０７は、出力部１０７に出力する映像データの表示を制御する。
【００１７】
（投稿データ表示システムの動作）
以上の構成を有する投稿データ表示システムにおける動作について、図６を参照して説明する。図６は、表示制御装置１００の投稿データを表示するための表示画面の一例を示す図である。
【００１８】
図６に示す表示画面例は出力部１０７であるディスプレイ上に表示される。図６において、３００は表示領域である。表示領域３００には、表示対象である複数のデータ夫々に関連付けられた時刻情報に基づく所定の順に配列された、該複数のデータの少なくとも一部が表示される。３０１は拡大表示領域であり、投稿された投稿データのうち選択されているものを拡大表示する。３０２は投稿データの一覧が表示される一覧表示領域である。一覧表示領域３０２は投稿データ表示領域３１１〜３１７により構成される。なお、本実施形態では一覧表示領域３０２に含まれる投稿データ表示領域は７つ存在するが、これより多くあるいは少なく構成してもよく、７つに限定するものではない。投稿データ表示領域３１１〜３１７には全投稿データを撮影時間順に配列した投稿データ一覧の少なくとも一部が配置される。なお、投稿データ表示領域３１１〜３１７には、図面上の右方のものほど撮影時刻が新しいデータが配置される。即ち、投稿データ表示領域３１７に最も撮影時刻が新しい投稿データが配置され、投稿データ表示領域３１７から投稿データ表示領域３１１に向かって撮影時刻が新しい順に投稿データが配置される。なお、投稿データ表示領域３１１〜３１７に配置される投稿データは、表示制御装置１００の入力部１０６を介したスクロール操作により配置が変更される。例えば、タッチパネルのドラッグ、スワイプ、フリック操作に従って、各投稿データ表示領域に表示される投稿データはスクロールされる。このようにユーザからのスクロールの指示に応じて、一覧表示する投稿データが切り替えられる。
【００１９】
また、各投稿データ表示領域はサムネイル画像表示領域３２１、投稿者表示領域３２２、シンボル表示領域３２３から構成される。サムネイル画像表示領域３２１には、投稿データ投稿データのサムネイルが表示される。投稿者表示領域３２２には当該投稿データ表示領域に配置された投稿データの投稿者に関連付けられた画像が表示される。本実施形態において投稿者表示領域３２２には、投稿データの投稿者（データ投稿装置１８０３〜１８０５何れかのユーザ）の顔画像が表示される。シンボル表示領域３２３には、対応する投稿データ表示領域に配置された投稿データが新たに追加されてから現在時刻が所定期間内である場合、投稿データが新たに追加された投稿データであることを示す情報を表示する。また、シンボル表示領域３２３には、対応する投稿データ表示領域に配置された投稿データが初めて表示領域３００内に表示されたことを表す情報が表示される。
【００２０】
３０３は、一覧表示領域３０２に表示されている投稿データより撮影時刻が古い投稿データが新たに追加された場合、新たに表示対象のデータが追加されたことを示す情報を表示する第１の追加通知領域である。第１の追加通知領域３０３に表示される情報は撮影時刻が古い投稿データが表示されるようにスクロールすることで追加された投稿データが表示されるようになることを示す。また、第１の追加通知領域３０３に表示される情報は、投稿データの配列において、投稿データ表示領域３１１に配置された投稿データより撮影時刻が前の表示していない投稿があることを示す。なお、第１の追加通知領域に表示される情報は、ユーザのスクロール操作に基づいて、追加された投稿データが一覧表示領域３０２に表示されたことに応じて、表示されなくなるように制御される。
【００２１】
３０４は、一覧表示領域３０２に表示されている投稿データより撮影時刻が新しい投稿データが新たに追加された場合、新たに表示対象のデータが追加されたことを示す情報を表示する第２の追加通知領域である。第２の追加通知領域３０４に表示される情報は、撮影時刻が新しい投稿データが表示されるようにスクロールすることで追加された投稿データが表示されるようになることを示す。また、第２の追加通知領域３０４に表示される情報は、投稿データ表示領域３１７に配置された投稿データより撮影時刻が新しい表示していない投稿があることを示す。なお、第２の追加通知領域に表示される情報は、ユーザのスクロール操作に基づいて、追加された投稿データが一覧表示領域３０２に表示されたことに応じて、表示されなくなるように制御される。
【００２２】
（投稿データ情報一覧）
表示対象の複数のデータは、データ夫々に関連付けられた時刻情報に基づく所定の順に配列される。図４は、投稿データの一覧を時間情報に基づいた順に表示させるための投稿データ情報一覧のデータ構造の一例を示す図である。１６００は投稿データ情報一覧全体を表している。投稿データ情報一覧１６００はＲＡＭ１０４または記憶装置１０５に記憶されている。１６０１は常に撮影時刻が最新の投稿データの情報へのリンク情報である。１６０２〜１６０７はそれぞれ１つの投稿データに関する情報を格納する投稿データ情報である。図４に示すように投稿データ情報一覧は線形リスト構造となっている。ここで、線形リストとは、１次元配列と同様に，データの列を扱うためのものであり、データとポインタとが入ったノードと呼ばれる要素をポインタでつないだものである。各投稿データ情報は次の投稿データ情報へのリンク情報を含んでいる。投稿データ情報は撮影時刻が新しい順に並べられているものとする。１６０８は終端子であり、これを指す投稿データ情報が投稿データ情報一覧で最も撮影時刻が古いことを示している。
【００２３】
（投稿データ情報）
図５は、図４において示した投稿データ情報１６０２〜１６０７の各々のデータ構造の一例を示す図である。１７００は１つの投稿データ情報全体を表している。１７０１はサーバ１８０１に保管されている投稿データの識別子である。この識別子を指定することで、表示制御装置１００はサムネイル画像表示領域３２１に表示するサムネイル画像や拡大表示領域３０１に表示するための実画像をサーバ１８０１から取得する。１７０２は投稿データの撮影時刻である。１７０３は投稿データを投稿した投稿者の識別子である。１７０４は投稿データを一覧表示領域３０２にまだ表示していないことを示すフラグである。１７０５は投稿データの投稿時刻である。１７０６は投稿データのコメント数である。１７０７は投稿データ情報一覧における次の投稿データ情報へのリンク情報である。投稿データ情報一覧に含まれる投稿データ情報のうち撮影時刻が最も古いもののリンク情報１７０７には、終端子１６０８へのリンクが保持されることになる。
【００２４】
（表示制御装置における処理手順）
続いて、図７は、投稿データが新たに投稿された場合の表示制御装置１００における処理の一例を示すフローチャートである。図７に示す各ステップは、表示制御装置１００が備えるＣＰＵ１０２の制御に基づき実行される。
【００２５】
表示制御装置１００の処理の前提として、まず、データ投稿装置１８０３〜１８０５の何れかが、ネットワーク１８０２を介して新たな投稿データをサーバ１８０１に対して投稿する。投稿データが新たに投稿された場合、サーバ１８０１は、表示制御装置１００が属するグループに対して新たな投稿データが追加されたことを示す投稿追加通知を、当該表示制御装置１００へ送信する。
【００２６】
表示制御装置１００の受信部２０１は、投稿追加通知をサーバ１８０１から受信する。さらに、受信部２０１は投稿追加通知により通知された追加投稿データの情報をサーバから取得する（Ｓ４０１）。そして、作成部２０６は、投稿データ情報１７００に取得した追加投稿データに関する情報を追加する。さらに、作成部２０６は投稿データ情報一覧１６００に追加投稿データに関する情報を追加する。
【００２７】
次に、投稿データ表示領域３１１に現在配置されている投稿データの撮影時刻と投稿データ表示領域３１７に配置されている投稿データの撮影時刻を取得して、一覧表示領域３０２に現在表示している投稿データの撮影時刻の範囲を取得する（Ｓ４０２）。特に図示しないが、本表示制御装置は投稿データ表示領域３１７に配置されている投稿データの投稿データ情報を指すリンク情報をＲＡＭ１０４または記憶装置１０５に記憶している。これにより投稿データ表示領域３１７に配置されている投稿データの撮影時刻を取得する。なお、投稿データ情報一覧１６００を辿ることにより、投稿データ表示領域３１７に配置されている投稿データの撮影時刻を取得してもよい。また、投稿データの作成時刻（撮影時刻）ではなく、投稿データの送信時刻、表示対象の投稿データを管理する行列に投稿データが加えられた時刻、或いは、投稿データが更新された時刻等に基づいて、投稿データの生成時刻を取得してもよい。
【００２８】
次に、Ｓ４０１において追加した投稿データ情報に対して未表示フラグ１７０４を立てる（Ｓ４０３）。そして、Ｓ４０１で得た追加投稿データの撮影時刻がＳ４０２で取得した現在表示している投稿データの撮影時刻の範囲内か否かを判定する（Ｓ４０４）。Ｓ４０４の判定の結果、撮影時刻の範囲内ではない場合（Ｓ４０４でＮＯ）は、表示範囲外の投稿データを追加通知する処理（以下、「追加通知処理」という）を行う（Ｓ４０５）。撮影時刻の範囲内の場合（Ｓ４０４でＹＥＳ）は、一覧表示領域３０２における表示を更新する処理（以下、「表示更新処理」という）を行って（Ｓ４０６）、処理を終了する。Ｓ４０５の追加通知処理、及び、Ｓ４０６の表示更新処理の詳細を以下に説明する。
【００２９】
（追加通知処理）
追加通知処理では、受信したデータをデータの配列に所定の順に従って追加した際に表示領域に当該受信したデータが表示されない場合、第１の追加通知領域３０３又は第２の追加通知領域３０４にシンボルの表示を追加する処理を行う。前述のように追加通知領域３０３、３０４は、新たに表示対象のデータが追加されたこと及び受信したデータを表示するためのスクロール方向を示す情報として機能する。
【００３０】
図８は、Ｓ４０５で実行する追加通知処理の処理手順の一例を示すフローチャートである。Ｓ５０１〜Ｓ５０３は各ステップを表す。
【００３１】
まず、追加投稿データの撮影時刻は一覧表示領域３０２に現在表示している投稿データの撮影時刻の範囲より過去方向であるか否かを判定する（Ｓ５０１）。すなわち、追加投稿データの撮影時刻が、現在表示している投稿データの撮影時刻のうち最も古いものよりも以前の時刻であるか否かを判定する。Ｓ５０１の判定の結果、過去方向である場合（Ｓ５０１でＹＥＳ）は、第１の追加通知領域３０３に、表示範囲より過去方向に追加投稿データがあることを示すシンボルの表示を追加して（Ｓ５０２）、処理を終了する。一方、Ｓ５０１の判定の結果、過去方向ではない場合（Ｓ５０１でＮＯ）、第２の追加通知領域３０４に表示範囲より未来方向に追加投稿データがあることを示すシンボルの表示を追加する（Ｓ５０３）。そして、処理を終了する。
【００３２】
（表示更新処理）
図９は、Ｓ４０６で実行する表示更新処理の一例を示すフローチャートである。Ｓ６０１〜Ｓ６１３は各ステップを表す。
【００３３】
まず、一覧表示領域３０２に配置される投稿データのうち撮影時刻が最も新しい投稿データ情報を取得する（Ｓ６０１）。具体的には、ＲＡＭ１０４または記憶装置１０５に記憶されている、投稿データ表示領域３１７に配置されている投稿データの投稿データ情報を指すリンク情報を参照して、取得する。次に、一覧表示領域３０２内の最新の投稿データが表示される投稿データ表示領域、すなわち投稿データ表示領域３１７を配置対象の投稿データ表示領域とする（Ｓ６０２）。
【００３４】
そして、Ｓ６０１で取得した投稿データ情報の投稿データ識別子１７０１を使用してサーバから投稿データのサムネイルを取得し、配置対象の投稿データ表示領域３１７のサムネイル画像表示領域３２１に配置する（Ｓ６０３）。次に、取得した投稿データ情報の投稿者識別子１７０３により、サーバから画像の投稿者の画像を取得し、当該投稿者の画像を配置対象の投稿データ表示領域における投稿者表示領域３２２に配置する（Ｓ６０４）。得た投稿データ情報の未表示フラグ１７０４が立っていれば、追加投稿データであることを示すシンボルを配置対象の投稿データ表示領域のシンボル表示領域３２３に配置して表示する（Ｓ６０５）。
【００３５】
そして、一覧表示領域３０２に投稿データを配置すべき投稿データがまだ存在するか否かを判定する（Ｓ６０６）。具体的には、例えば、Ｓ６０１で取得した投稿データ情報の次の投稿データ情報へのリンク情報１７０７が終端子を指しているか否かにより判定する。Ｓ６０６での判定の結果、表示すべき投稿データがまだ存在する場合（Ｓ６０６でＹＥＳ）には、投稿データ情報一覧１６００において次に新しい投稿データ情報を取得する（Ｓ６１０）。そして、一覧表示領域３０２における次の投稿データ表示領域を配置対象の投稿データ表示領域として（Ｓ６１１）、Ｓ６０２の処理に戻る。このようにして、Ｓ６０３〜Ｓ６０６、Ｓ６１１、Ｓ６１０の処理により、投稿された全ての投稿データを一覧表示領域３０２へ、時刻が新しい投稿データ表示領域から順に配置して表示する。
【００３６】
Ｓ６０６の判定の結果、表示範囲内に表示すべき投稿データがもう存在しない場合（Ｓ６０６でＮＯ）には、選択されている投稿データ（ない場合は最新の画像を選択投稿データとする）を拡大表示領域３０１に配置する（Ｓ６０７）。そして、投稿データ情報一覧１６００を検索することで、一覧表示領域３０２に現在表示している投稿データの撮影時刻の範囲よりも過去の方向に未表示投稿データが存在するか判定する（Ｓ６０８）。Ｓ６０８の判定の結果、過去の方向に未表示投稿データが存在する場合（Ｓ６０８でＹＥＳ）にはＳ６１２へ進み、存在しない場合（Ｓ６０８でＮＯ）にはＳ６０９へ進む。Ｓ６１２では、過去方向に未表示投稿データがあることを示すシンボルを第１の追加通知領域３０３に配置して表示し、Ｓ６０９へ進む。
【００３７】
Ｓ６０９では、投稿データ情報一覧１６００を検索することで、一覧表示領域３０２に現在表示している投稿データの撮影時刻の範囲よりも未来の方向に未表示投稿データが存在するか判定する。Ｓ６０９での判定の結果、未表示投稿データが存在する場合（Ｓ６０９でＹＥＳ）には、未来方向に追加投稿データがあることを示すシンボルを第２の通知表示領域３０４に配置して表示し（Ｓ６１３）、処理を終了する。Ｓ６０９の判定の結果、未来の方向に追加投稿データが存在しない場合（Ｓ６０９でＮＯ）には何も行わず、処理を終了する。
【００３８】
（表示範囲移動の概要）
本実施形態では、シンボル３０３又は３０４の選択によるスクロールの指示に応じて、未表示の投稿データが表示領域において中央に位置するように、一覧表示する投稿データを切り替える。この処理について図１０、図１１を参照して説明する。図１０は本実施形態に係る表示画面と投稿データの位置関係を表す概念図である。図１０において、７０１〜７１４は投稿データである。そのうち投稿データ７０８〜７１４が一覧表示領域３０２に配置されている。投稿データ７０１，７０６，７１０，７１３，７１４の上部のシンボル７１５〜７１９は、それぞれ投稿データ７０１，７０６，７１０，７１３，７１４が投稿されて間もない、もしくは投稿後未表示の画像であることを示している。すなわち、投稿データ７０１，７０６は表示範囲外に追加されたが未表示の投稿データ、投稿データ７１０，７１３，７１４は追加されて間もない投稿データである。７２０は第１の追加通知領域３０３に配置及び表示された、一覧表示領域３０２に現在表示している投稿データの撮影時刻の範囲よりも過去の方向に表示していない投稿データが存在することを示すシンボルである。このシンボルは利用者が画面上で押下することにより、表示範囲外に存在する過去方向で最も近い未表示の投稿データ、すなわち投稿データ７０６が中心となるように表示範囲が設定される。
【００３９】
図１１は、図１０において表示範囲より過去の方向に表示していない追加投稿データが存在することを示すシンボルを押下した後の画面表示を表す概念図である。図１１のように、一覧表示領域３０２には、図１０における表示範囲外に存在する過去方向で最も近い未表示の投稿データ７０６が中心となるように投稿データが配置されている。また、拡大表示領域３０１には、投稿データ７０６が拡大表示されている。８０１は一覧表示領域３０２に現在表示している投稿データの撮影時刻の範囲より過去の方向に表示していない投稿データが存在することを示すシンボルである。８０１は図１０において本図の一覧表示領域３０２のさらに撮影時刻が過去方向に未表示の投稿データ７０１が存在することを表している。
【００４０】
（表示範囲移動処理）
図１２は本実施形態に係る構成において、表示範囲外にまだ表示していない追加投稿データが存在することを示すシンボルが押下された場合に実行する表示範囲移動処理の処理手順の一例を示すフローチャートである。Ｓ９０１〜Ｓ９０７は各ステップを表す。図１２に示す各ステップは、表示制御装置１００が備えるＣＰＵ１０２の制御に基づき実行される。
【００４１】
まず、押下された方向の一覧表示領域３０２において表示範囲外の未表示投稿データのうち、最も表示範囲に近いものを投稿データ情報一覧１６００から検索する（Ｓ９０１）。そして、検索の結果見つかった投稿データが中心となるように、ＲＡＭ１０４または記憶装置１０５に記憶されている、投稿データ表示領域３１７に配置されている投稿データの投稿データ情報を指すリンク情報を更新する。それにより、一覧表示領域３０２に新たに表示される投稿データの範囲が設定される（Ｓ９０２）。次に、新たな表示範囲よりも過去方向に未表示投稿データが存在するか否かを、投稿データ情報一覧１６００を検索することにより判定する（Ｓ９０３）。過去方向に未表示投稿データが存在する場合（Ｓ９０３でＹＥＳ）は、未表示投稿データがあることを記憶する（Ｓ９０６）。また、新たな一覧表示領域３０２に表示される投稿データの範囲よりも未来方向に未表示投稿データが存在するか否かを、投稿データ情報一覧１６００を検索することにより判定する（Ｓ９０４）。未来方向に未表示投稿データが存在する場合（Ｓ９０４でＹＥＳ）は、未表示投稿データがあることを記憶する（Ｓ９０７）。そして、Ｓ９０５で表示更新処理を行い、処理を終了する。表示更新処理の具体的な処理内容は、図９を参照して説明したものと同様である。
【００４２】
以上のように、本実施形態に係る表示制御装置１００は、複数の投稿データをその生成順に整列して表示手段の所定の表示領域に一覧表示させるとともに、新たな投稿データが追加されたことに応じて、当該新たな投稿データの生成時刻を取得する。ここで、表示制御装置１００は、新たな投稿データの生成時刻が、表示領域に一覧表示している投稿データの生成時刻の範囲外である場合には、新たな投稿データが存在する方向を示して、表示領域の範囲外に未表示の投稿データがあることをユーザに提示する。このため、本実施形態によれば、投稿データが追加された際に、投稿一覧中の追加位置が表示領域に表示されている範囲外であった場合にも、ユーザは投稿の追加を認識することが可能となる。さらに、投稿一覧の表示領域に表示されている範囲外の時系列的に過去の方向に追加されたのか、未来の方向に追加されたのかを容易に認識することが可能となる。
【００４３】
なお、本実施形態では投稿データの撮影時刻を基準として投稿データを整列したが、整列の基準を投稿データの撮影時刻に限定したものではない。サーバへの到着時刻とは別の時刻によって整列するのであれば、投稿データの送信時刻、投稿データを送信待ち行列に入れた時刻（送信予約を行った時刻）、投稿データファイルの更新時刻であってもよい。これにより、投稿データを撮影した時刻ではなく、投稿者が送信した時刻あるいは送信予約をおこなった時刻による整列が可能となる。既に撮影した画像を用いたコミュニケーションにおいては、画像が撮影された時刻ではなく、投稿者がいつその投稿を行ったかの方が重要であるため、そのような場合において有効である。また、画像を加工することにより作品を製作するような場合においては、元の画像がいつ撮影されたよりも最終的な作品がいつ作成されたかの方が重要である。そのような場合においては、投稿データファイルの更新時刻に基づいて整列することが有効である。
【００４４】
また、本実施形態では、一覧表示をする対象が投稿データである場合について説明したが、表示対象は投稿データに限られない。例えば、デジタルカメラで撮影された画像や、受信した電子メール等を一覧表示する場合に適用してもよい。また、本実施形態では、未表示のデータが存在する場合に、そのデータが存在する方向をシンボル３０３、３０４により示してユーザに通知したが、未表示のデータが存在する方向を示す手法はこれに限られない。例えば、音声やコントローラの振動等により通知してもよい。
【００４５】
前記のように、本実施形態では、複数のデータを表示手段に表示する表示制御装置１００において、複数のデータを所定の順序で整列して、仮想的な行列を生成し、当該行列において連続する所定の個数のノードに対応するデータを表示手段に一覧表示させる。ここで、未表示のデータが存在する場合には、そのデータが存在する方向を示してユーザに通知する。このため、ユーザは、未表示のデータがどちらの方向に存在するか認識して、スクロール操作等により的確に未表示のデータを閲覧することができる。なお、同等の機能を実現するためには、所定の順序で整列された前記複数のデータの仮想的な一覧表示を作成し、当該仮想的な一覧表示の一部を表示手段に表示させた上で、未表示のデータが存在する方向を示すようにしても構わない。
【００４６】
＜＜実施形態２＞＞
本実施形態においては、投稿一覧の表示領域に表示されている範囲外の時系列的に過去の方向にも未来の方向にも投稿が追加された場合に、どちらの方向から先に見るべきかを利用者に提示する例について説明する。本実施形態に係る投稿データ表示システム及び表示制御装置１００の構成及び動作の多くは実施形態１と共通するため、実施形態１との相違点を中心に説明する。
【００４７】
（投稿データの表示）
本実施形態では、一覧表示している投稿データの生成時刻の範囲以前に生成された未表示の投稿データと、生成時刻の範囲以後に生成された未表示の投稿データとを比較し、未表示の投稿データが存在するより重要度の高い方向を判定する。そして、より重要度の高い方向をユーザに提示する。これより、大量のデータが投稿されている場合に、より重要度の高いデータから優先的に閲覧することができる。
【００４８】
図１３は、本実施形態に係る表示画面と投稿データの位置関係を表す概念図である。図１３において、１００１〜１０１４は投稿データである。そのうち投稿データ１００４〜１０１０が一覧表示領域３０２に配置されている。投稿データ１００１，１００７，１０１１〜１０１４の上部のシンボル１０１５〜１０２０は、各投稿データが投稿されて間もない、もしくは投稿後未表示の画像であることを示している。すなわち、投稿データ１００１，１０１１〜１０１４は表示範囲外に追加されたが未表示の投稿データ、投稿データ１００７は追加されて間もない投稿データである。１０２１は第１の追加通知領域３０３に配置及び表示された、一覧表示領域３０２に現在表示している投稿データの撮影時刻の範囲よりも過去の方向に未表示の投稿データが存在することを示すシンボルである。１０２２は第２の通知表示領域３０４に配置及び表示された、一覧表示領域３０２に現在表示している投稿データの撮影時刻の範囲よりも未来の方向に未表示の投稿データが存在することを示すシンボルである。図１３の例では、表示範囲外に追加されたが未表示の投稿データが、一覧表示領域３０２に現在表示している投稿データの撮影時刻の範囲より過去方向には１つ、未来方向には４つと未来方向の方が多い。そのため、未来方向に未表示投稿データが存在することを示すシンボル１０２２はより濃い色で強調表示されている。
【００４９】
（追加通知処理）
図１４は本実施形態に係る表示範囲外の投稿データを追加通知する処理（追加通知処理）の一例を示すフローチャートである。Ｓ１１０１〜Ｓ１１１０は各ステップを表す。図１４に示す各ステップは、表示制御装置１００が備えるＣＰＵ１０２の制御に基づき実行される。
【００５０】
まず、ＲＡＭ１０４または記憶装置１０５に記憶しているリンク情報から投稿データ表示領域３１７に配置されている投稿データの投稿データ情報を得て、そこから一覧表示領域３０２に表示できる投稿データ個数分の画像情報を辿る。それにより、一覧表示領域３０２に現在表示している投稿データの撮影時刻の範囲を求め、範囲外の過去方向・未来方向共に未表示投稿データが存在するか否かを、投稿データ情報一覧１６００を検索して判定する（Ｓ１１０１）。Ｓ１１０１での判定の結果、過去方向・未来方向共に未表示投稿データが存在する場合（Ｓ１１０１でＹＥＳ）には、Ｓ１１０２へ進む。Ｓ１１０２では、過去方向と未来方向の未表示投稿データの重要度を比較する処理（以下、「比較処理」という）を行う。比較処理の詳細は後述する。
【００５１】
次に、過去方向の未表示投稿データの方が未来方向の未表示投稿データよりも重要度が高いか否かを判定する（Ｓ１１０３）。Ｓ１１０３での判定の結果、一覧表示領域３０２に現在表示している投稿データの撮影時刻の範囲外の過去方向の未表示投稿データの方が重要度が高い場合（Ｓ１１０３でＹＥＳ）にはＳ１１０４へ進む。Ｓ１１０４では、第１の追加通知領域３０３に、重要度の高い未表示投稿データの存在を示す強調表示されたシンボルを配置する。本実施形態ではこのようなシンボルとして色の濃い未表示画像表示シンボルを配置及び表示する。そして、未来方向未表示投稿データ通知表示領域３０４に通常色の未表示画像表示シンボルを配置及び表示し（Ｓ１１０５）、処理を終了する。Ｓ１１０３の判定の結果、一覧表示領域３０２に現在表示している投稿データの撮影時刻の範囲外の過去方向の未表示投稿データの方が重要度が高くない場合（Ｓ１１０３でＮＯ）にはＳ１１０９へ進む。Ｓ１１０９では、未来方向未表示投稿データ通知表示領域３０４に色の濃い未表示画像表示シンボルを配置して表示する。そして、第１の追加通知領域３０３に通常色の未表示画像表示シンボルを配置及び表示し（Ｓ１１１０）、処理を終了する。
【００５２】
Ｓ１１０１の判定の結果、過去方向・未来方向のいずれか一方のみに未表示投稿データが存在する場合（Ｓ１１０１でＮＯ）にはＳ１１０６へ進む。Ｓ１１０６では、追加画像の撮影時刻が一覧表示領域３０２に現在表示している投稿データの撮影時刻範囲より過去か否かを判定する（Ｓ１１０６）。Ｓ１１０６の判定の結果、追加画像の撮影時刻が表示している投稿データの撮影時刻範囲より過去である場合（Ｓ１１０６でＹＥＳ）には、第１の追加通知領域３０３に通常色の未表示画像表示シンボルを配置し（Ｓ１１０７）、処理を終了する。Ｓ１１０６の判定の結果、追加画像の撮影時刻が表示している投稿データの撮影時刻範囲より未来である場合には、未来方向未表示投稿データ通知表示領域３０４に通常色の未表示画像表示シンボルを配置し（Ｓ１１０８）、処理を終了する。
【００５３】
（比較処理）
次に、比較処理の詳細について、図１５〜図１８を参照して説明する。図１５は、本実施形態に係る過去・未来方向の未表示投稿データを比較する比較処理の第１の例を示すフローチャートである。Ｓ１２０１〜Ｓ１２０５は各ステップを表す。
【００５４】
比較処理の第１の例では、一覧表示されている投稿データの生成時刻の範囲よりも以前に生成された未表示の投稿データの個数と、該生成時刻の範囲よりも以後に生成された未表示の投稿データの個数とを比較して、重要度の高い方向を判定する。まず、一覧表示領域３０２に現在表示している投稿データの撮影時刻の範囲外の時系列的に過去方向の未表示投稿データの総数を算出する（Ｓ１２０１）。算出方法は投稿データ情報一覧１６００において未表示フラグ１７０４が立っている投稿データ情報の数を数えることにより行う。次に、同様に一覧表示領域３０２に現在表示している投稿データの撮影時刻の範囲外の時系列的に未来方向の未表示投稿データの総数を算出する（Ｓ１２０２）。そして、Ｓ１２０１で得た過去方向未表示投稿データ数がＳ１２０２で得た未来方向の未表示投稿データ数より多いか否かを判定する（Ｓ１２０３）。Ｓ１２０３での判定の結果、過去方向の未表示投稿データ数の方が多かった場合（Ｓ１２０３でＹＥＳ）には、過去方向の方が重要度が高いと判定して（Ｓ１２０４）、処理を終了する。未来方向の未表示投稿データ数の方が多かった場合（Ｓ１２０３でＮＯ）には、未来方向の方が重要度が高いと判定し（Ｓ１２０５）、処理を終了する。
【００５５】
図１６は本実施形態に係る過去・未来方向の未表示投稿データを比較する比較処理の第２の例を示すフローチャートである。Ｓ１３０１〜Ｓ１３０５は各ステップを表す。
【００５６】
比較処理の第２の例では、生成時刻の範囲からの時間的な距離が一定の範囲に存在する未表示の投稿データについて、その個数を比較する。まず、一覧表示領域３０２に現在表示している投稿データの撮影時刻の範囲外の時系列的に過去方向のあらかじめ決められた一定時間ΔＴ内に追加された未表示投稿データの総数を算出する（Ｓ１３０１）。算出方法は投稿データ情報一覧１６００において投稿時刻１７０５が直近のΔＴ以内で、未表示フラグ１７０４が立っている投稿データ情報の数を数えることにより行う。次に、一覧表示領域３０２に現在表示している投稿データの撮影時刻の範囲外の時系列的に未来方向のあらかじめ決められた一定時間ΔＴ内に追加された未表示投稿データの総数を算出する（Ｓ１３０２）。そして、Ｓ１３０１で得た過去方向未表示投稿データ数がＳ１３０２で得た未来方向の未表示投稿データ数より多いか否かを判定する（Ｓ１３０３）。Ｓ１３０３での判定の結果、過去方向の未表示投稿データ数の方が多かった場合（Ｓ１３０３でＹＥＳ）には、過去方向の方が重要度が高いと判定して（Ｓ１３０４）、処理を終了する。未来方向の未表示投稿データ数の方が多かった場合（Ｓ１３０３でＮＯ）には、未来方向の方が重要度が高いと判定し（Ｓ１３０５）、処理を終了する。
【００５７】
図１７は本実施形態に係る過去・未来方向の未表示投稿データを比較する比較処理の第３の例を示すフローチャートである。Ｓ１４０１〜Ｓ１４０５は各ステップを表す。
【００５８】
比較処理の第３の例では、一覧表示されている投稿データよりも以前に生成された未表示の投稿データに対するコメントの個数と、一覧表示されている投稿データよりも以後に生成された未表示の投稿データに対するコメントの個数とを比較する。まず、一覧表示領域３０２に現在表示している投稿データの撮影時刻の範囲外の時系列的に過去方向の未表示投稿データのうち、コメント数が最大の未表示画像のコメント数を取得する（Ｓ１４０１）。コメント数が最大の未表示画像のコメント数は投稿データ情報一覧１６００において未表示フラグ１７０４が立っている投稿データ情報のコメント数１７０６を比較し、最も大きいものを検索することにより行う。次に、一覧表示領域３０２に現在表示している投稿データの撮影時刻の範囲外の時系列的に未来方向の未表示投稿データのうち、コメント数が最大の未表示画像のコメント数を取得する（Ｓ１４０２）。そして、Ｓ１４０１で得た過去方向の最大コメント数がＳ１４０２で得た未来方向の最大コメント数より多いか否かを判定する（Ｓ１４０３）。Ｓ１４０３での判定の結果、過去方向の最大コメント数の方が多かった場合（Ｓ１４０３でＹＥＳ）には、過去方向の方が重要度が高いと判定し（Ｓ１４０４）、処理を終了する。未来方向の際だコメント数の方が多かった場合（Ｓ１４０３でＮＯ）には、未来方向の方が重要度が高いと判定し（Ｓ１４０５）、処理を終了する。
【００５９】
図１８は本実施形態に係る過去・未来方向の未表示投稿データを比較する比較処理の第４の例を示すフローチャートである。Ｓ１５０１〜Ｓ１５０５は各ステップを表す。
【００６０】
比較処理の第４の例では、生成時刻の範囲からの時間的な距離が一定の範囲に存在する未表示の投稿データのうち、与えられたコメントの個数が最も多い未表示の投稿データが存在する方向を重要度の高い方向として判定する。まず、一覧表示領域３０２に現在表示している投稿データの撮影時刻の範囲外の時系列的に過去方向のあらかじめ決められた一定時間ΔＴ内に追加された未表示投稿データのうち、コメント数が最大の未表示画像のコメント数を取得する（Ｓ１５０１）。コメント数が最大の未表示画像のコメント数は投稿データ情報一覧１６００において投稿時刻１７０５が直近のΔＴ以内で、未表示フラグ１７０４が立っている投稿データ情報のコメント数１７０６を比較し、最も大きいものを検索することにより行う。次に、一覧表示領域３０２に現在表示している投稿データの撮影時刻の範囲外の時系列的に未来方向のあらかじめ決められた一定時間ΔＴ内に追加された未表示投稿データのうち、コメント数が最大の未表示画像のコメント数を取得する（Ｓ１５０２）。そして、Ｓ１５０１で得た過去方向の最大コメント数がＳ１５０２で得た未来方向の最大コメント数より多いか否かを判定する（Ｓ１５０３）。Ｓ１５０３での判定の結果、過去方向の最大コメント数の方が多かった場合（Ｓ１５０３でＹＥＳ）には、過去方向の方が重要度が高いと判定し（Ｓ１５０４）、処理を終了する。未来方向の際だコメント数の方が多かった場合（Ｓ１５０３でＮＯ）には、未来方向の方が重要度が高いと判定し（Ｓ１５０５）、処理を終了する。
【００６１】
以上のように、本実施形態によれば現在表示されている範囲よりも時系列的に過去の方向と未来の方向のどちらにも投稿が追加になっている場合に、どちらの方向の投稿を先に見るべきか利用者に提示することが可能となる。
【００６２】
なお、本実施形態では色の濃淡によりどちらの方向の投稿を先に見るべきかを表したが、色の違い、形状、模様、大きさの違いにより表現してもよい。また、特別なシンボルや文字列、画像の追加により表現してもよい。また、本実施形態では投稿データの撮影時刻を基準として投稿データを整列したが、整列の基準を投稿データの撮影時刻に限定したものではない。サーバへの到着時刻とは別の時刻によって整列するのであれば、投稿データの送信時刻、投稿データを送信待ち行列に入れた時刻（送信予約を行った時刻）、投稿データファイルの更新日時であってもよい。なお、上述の表示制御装置は画像を撮影する撮影機能を有する撮像装置であってよい。この場合、撮影機能により撮影された画像をサーバにアップロードする機能を更に有すること構成であってよい。また、未表示の投稿データの重要度を判定する方法は前述したものに限られない。例えば、未表示の投稿データに対して与えられたコメント数が所定の閾値を超えた場合に、当該未表示の投稿データの方向を重要度が高い方向として判定してもよい。
【００６３】
＜＜その他の実施形態＞＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015125508.tif 000003
【図２】
2015125508.tif 000004
【図３】
2015125508.tif 000005
【図４】
2015125508.tif 000006
【図５】
2015125508.tif 000007
【図６】
2015125508.tif 000008
【図７】
2015125508.tif 000009
【図８】
2015125508.tif 000010
【図９】
2015125508.tif 000011
【図１０】
2015125508.tif 000012
【図１１】
2015125508.tif 000013
【図１２】
2015125508.tif 000014
【図１３】
2015125508.tif 000015
【図１４】
2015125508.tif 000016
【図１５】
2015125508.tif 000017
【図１６】
2015125508.tif 000018
【図１７】
2015125508.tif 000019
【図１８】
2015125508.tif 000020